【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】インクジェットヘッド、該インクジェットヘッドを用いた装置、及び、フィルタリング方法、装置
【手続補正２】
【補正対象書類名】明細書
【補正対象項目名】特許請求の範囲
【補正方法】変更
【補正の内容】
【特許請求の範囲】
【請求項１】  インク液室内のインクをノズルより噴射して画像を形成するインクジェットヘッドにおいて、前記インク液室にインクを供給するインク流路の途中にフィルタ室を有し、かつ、該フィルタ室の上流側に中間部材を有し、該フィルタ室内のフィルタを通して前記インク液室にインクを供給するインク充填時、該フィルタの上流側に供給されたインクを前記中間部材により前記フィルタの上流側の表面に略同時に達するようにしたことを特徴とするインクジェットヘッド。
【請求項２】  前記中間部材は前記フィルタ室へのインクの流れを分割する機能を有することを特徴とする請求項１に記載のインクジェットヘッド。
【請求項３】  前記中間部材は前記フィルタに接触して設けられることを特徴とする請求項２に記載のインクジェットヘッド。
【請求項４】  前記中間部材は前記フィルタ室の容積を略等分に分割することを特徴とする請求項２又は３に記載のインクジェットヘッド。
【請求項５】  前記中間部材と前記フィルタで挟まれた空間が下流ほど広がっていることを特徴とする請求項２乃至４のいずれかに記載のインクジェットヘッド。
【請求項６】  前記中間部材の表面と前記フィルタ室の内壁に親水処理がなされていることを特徴とする請求項２乃至５のいずれかに記載のインクジェットヘッド。
【請求項７】  前記中間部材と前記フィルタ室の内壁と前記フィルタで囲まれた空間がインク充填方向に対して対称形であることを特徴とする請求項２乃至６のいずれかに記載のインクジェットヘッド。
【請求項８】  前記中間部材の濡れ性が前記フィルタ室の内壁の濡れ性と略等しいことを特徴とする請求項２乃至７のいずれかに記載のインクジェットヘッド。
【請求項９】  前記中間部材は前記フィルタ室の容積を変化させる機能を有することを特徴とする請求項１に記載のインクジェットヘッド。
【請求項１０】  前記中間部材は膨張，収縮する部材であり、膨張時に該中間部材が前記フィルタに接触することを特徴とする請求項９に記載のインクジェットヘッド。
【請求項１１】  前記中間部材は前記フィルタとの接触部に補強部材が形成されていることを特徴とする請求項１０に記載のインクジェットヘッド。
【請求項１２】  前記中間部材が前記フィルタ室の壁面に形成された弾性体であることを特徴とする請求項９に記載のインクジェットヘッド。
【請求項１３】  前記中間部材の表面あるいは前記フィルタ室の内壁に凹凸あるいは溝が形成されていることを特徴とする請求項９に記載のインクジェットヘッド。
【請求項１４】  前記中間部材はインクの流れを抑制する抑制機能を有することを特徴とする請求項１に記載のインクジェットヘッド。
【請求項１５】  前記中間部材は複数の開口を有し、該開口の開口径が前記フィルタの開口径よりも大きいことを特徴とする請求項１４に記載のインクジェットヘッド。
【請求項１６】  前記中間部材が前記フィルタに近接して設けられることを特徴とする請求項１４又は１５に記載のインクジェットヘッド。
【請求項１７】  前記中間部材が前記フィルタに平行に設けられることを特徴とする請求項１４乃至１６のいずれかに記載のインクジェットヘッド。
【請求項１８】  前記中間部材がインク流れ方向に複数設けられ、上流側ほど該中間部材の開口径が大きいことを特徴とする請求項１４乃至１７のいずれかに記載のインクジェットヘッド。
【請求項１９】  前記中間部材が金属製であることを特徴とする請求項１４乃至１８のいずれかに記載のインクジェットヘッド。
【請求項２０】  請求項１乃至１９のいずれかに記載のインクジェットヘッドを搭載したインクジェット記録装置。
【請求項２１】  インク液室内のインクノズルより噴射して画像を形成するインクジェットヘッドであって、前記インク液室にインクを供給するインク流路の途中にフィルタ室を有するインクジェットヘッドにインクを充填するインク充填方法において、前記フィルタ室のフィルタの上流側に容積が変化する機能を有する中間部材を有し、該中間部材を膨張させた状態で、インクがフィルタの全表面に略同時に達するようにインクの充填動作を開始し、該中間部材を収縮した後に前記インク充填動作を終了させることを特徴とするインクジェットヘッドのインク充填方法。
【請求項２２】  前記中間部材は膨張，収縮する部材であり、膨張時に該中間部材を前記フィルタに接触させることを特徴とする請求項２１に記載のインクジェットヘッドのインク充填方法。
【請求項２３】  インク液室内のインクをノズルより噴射して画像を形成するインクジェットヘッドであって、前記インク液室にインクを供給するインク流路の途中にフィルタ室を有するインクジェットヘッドにインクを充填するインク充填方法において、前記フィルタ室のフィルタ上流側の側壁が弾性体で形成されており、インク充填開始時、前記側壁を外部より押圧して内側に変形せしめてインクとフィルタとの接触面積を小さくし、以降、接触面積を徐々に広くすることを特徴とするインクジェットヘッドのインク充填方法。
【請求項２４】  インク液室内のインクをノズルより噴射して画像を形成するインクジェットヘッドであって、前記インク液室にインクを供給するインク流路の途中にフィルタ室を有するインクジェットヘッドにインクを充填するインク充填方法において、前記フィルタ室の上流側に複数の開口を有する中間部材を前記開口の一方の側を前記フィルタに近接対向して有し、インク充填開始時、前記フィルタの下流側を負圧にし、前記開口の他方の側から前記中間部材にインクを供給して前記開口の前記一方の側にメニスカスを形成し、次いで、前記負圧を高くして前記メニスカスを形成しているインクを略同時に前記フィルタに接触させるようにしたことを特徴とするインクジェットヘッドにおけるインク充填方法。
【請求項２５】  フィルタを通すことによって液体中の異物を除去するフィルタリング装置において、前記フィルタが配設されたフィルタ室内のフィルタの上流側に前記液体が前記フィルタに略同時に達するようにした中間部材を有することを特徴とするフィルタリング装置。
【請求項２６】  前記中間部材が前記フィルタ室へのインクの流れを分割する機能を有することを特徴とする請求項２５に記載のフィルタリング装置。
【請求項２７】  前記中間部材が前記フィルタ室の容積を変化させる機能を有することを特徴とする請求項２５に記載のフィルタリング装置。
【請求項２８】  前記中間部材は膨張，収縮する部材であり、膨張時に該中間部材が前記フィルタに接触することを特徴とする請求項２７に記載のフィルタリング装置。
【請求項２９】  前記中間部材が前記フィルタ室の壁面に形成された弾性体であることを特徴とする請求項２７に記載のフィルタリング装置。
【請求項３０】  フィルタを通すことによって液体中の異物を除去するフィルタリング方法において、フィルタが配設されたフィルタ室内の前記フィルタの上流側に中間部材を有し、該中間部材にて前記液体が前記フィルタに略同時に達するようにすることを特徴とするフィルタリング方法。
【請求項３１】  前記中間部材が液体の流れを抑制する抑制機能を有し、前記フィルタ室の圧力を段階的に変化させて前記液体の流れを抑制するようにしたことを特徴とする請求項３０に記載のフィルタリング方法。
【請求項３２】  前記中間部材が前記フィルタ室の容積を変化させる機能を有し、該中間部材によってフィルタ室の容積を小さくした状態で液体を充填し、その後、前記フィルタ室の容積を大きくすることを特徴とする請求項３０に記載のフィルタリング方法。
【請求項３３】  前記中間部材は膨張，収縮する部材であり、膨張時に該中間部材が前記フィルタに接触させることを特徴とする請求項３０に記載のフィルタリング方法。
【請求項３４】  前記中間部材が前記フィルタ室の壁面に形成された弾性体であり、充填開始時、前記側壁を外部より押圧して内側に変形せしめて液体とフィルタとの接触面積を小さくし、以降、接触面積を徐々に広くすることを特徴とする請求項３０に記載のフィルタリング方法。
【請求項３５】  請求項１乃至１９のいずれかに記載のインクジェットヘッドを搭載した液滴吐出装置。
【請求項３６】  請求項１乃至１９のいずれかに記載のインクジェットヘッドを搭載した画像形成装置。
【手続補正３】
【補正対象書類名】明細書
【補正対象項目名】０００１
【補正方法】変更
【補正の内容】
【０００１】
【発明の属する技術分野】
本発明は、インクを噴射して記録を行うためのインクジェットヘッド、該インクジェットヘッドを用いた装置、該インクジェットヘッドにインクを充填するためのインク充填装置及びインク充填方法、更には、液体中の異物を除去するフィルタリング装置及びフィルタリング方法に関し、例えば、プリンタ，複写機，ＦＡＸ等に用いられる。
【手続補正４】
【補正対象書類名】明細書
【補正対象項目名】０００７
【補正方法】変更
【補正の内容】
【０００７】
【発明が解決しようとする課題】
本発明は、上述のごとき実情に鑑みてなされたものであり、インクジェットヘッドのインク供給経路中に設けられるフィルタ部のインク充填性の向上を目的とするものであり、特に、大面積フィルタを形成したフィルタ室において良好な充填性を確保することで信頼性の高い高速インクジェット記録装置、液滴吐出装置及び画像形成装置を実現することを目的とするものである。
【手続補正５】
【補正対象書類名】明細書
【補正対象項目名】００２８
【補正方法】変更
【補正の内容】
【００２８】
請求項２０、３５あるいは３６の発明は、請求項１乃至１９のいずれかのインクジェットヘッドを搭載したものである。
【手続補正６】
【補正対象書類名】明細書
【補正対象項目名】０１３０
【補正方法】変更
【補正の内容】
【０１３０】
請求項２０の発明は、インクジェット記録装置に請求項１乃至１９のいずれかに記載のインクジェットヘッドを搭載しているので、該インクジェット記録装置は請求項１乃至１９に記載の作用効果を達成することができる。
同様に、請求項３５あるいは３６の発明は、請求項１乃至１９のいずれかに記載のインクジェットヘッドを搭載しているので、請求項１乃至１９に記載の作用効果を達成することができる。